(57)【要約】【課題】本発明は、例えば扇風機のような送風装置に関するもので、使い勝手を良くすることを目的とする。【解決手段】そして、この目的を達成するために本発明は、本体ケース１を実質的に球形状としたので、送風機送風口９の向きを変更するためには、本体ケース１の向きを変更するだけで、簡単に変更することが出来、極めて使い勝手の良いものとなる。  また、内風送風口８から臨む内風送風空間３部分に、ファン７の駆動スイッチ１４を配置したものであるので、本体ケース１をどのような向きに配置しても、駆動スイッチ１４の位置を特定することが出来、つまりスムーズに駆動スイッチ１４を操作することが出来、使い勝手の良いものとなるのである。【選択図】図２
2014088774.tif 000002
【特許請求の範囲】
【請求項１】
内部に送風機収納空間、および内風送風空間を有する実質的に球形状の本体ケースと、この本体ケースの前記送風機収納空間内に配置した送風機とを備え、前記内風送風空間の一部が接する前記本体ケース部分には、この内風送風空間からの送風を行う内風送風口を設け、この内風送風口の外周には、前記送風機からの送風を行う送風機送風口を設け、この送風機送風口と前記送風機は、前記内風送風空間外面と前記本体ケース内面との間に形成した送風機送風路を介して連結し、前記内風送風空間は、前記送風機送風口の外周部分の本体ケース部分に形成した複数の内風吸気口に、前記送風機送風路とは、非通風状態で、この送風機送風路を貫通した内風路を介して連結し、前記送風機収納空間に接する本体ケース部分には、送風機吸気口を設けるとともに、前記内風送風口から臨む内風送風空間部分に、前記送風機の駆動スイッチを配置した送風装置。
【請求項２】
本体ケースを球形、または楕円球形状とした請求項１に記載の送風装置。
【請求項３】
本体ケースの対向する部分に、送風機送風口と送風機吸気口を設けるとともに、前記送風機送風口と送風機吸気口間の本体ケース部分に複数の内風吸気口を設けた請求項１または２に記載の送風装置。
【請求項４】
内風送風口は円形とし、送風機送風口は、この内風送風口の外周における円環状とした請求項１から３のいずれか一つに記載の送風装置。
【請求項５】
内風送風口から臨む内風送風空間部分に、照明手段を配置した請求項１から４のいずれか一つに記載の送風装置。
【請求項６】
送風機の駆動スイッチと照明手段を兼用させた請求項５に記載の送風装置。
【請求項７】
本体ケース内に、加速度センサを設け、この加速度センサの動作により照明手段を起動する構成とした請求項５または６に記載の送風装置。
【請求項８】
内風送風口から臨む内風送風空間部分に、照度センサを配置した請求項１から７のいずれか一つに記載の送風装置。
【発明の詳細な説明】
【技術分野】
【０００１】
本発明は、例えば扇風機のように、送風により快適空間を形成するための送風装置に関するものである。
【背景技術】
【０００２】
本体ケース内に送風機を設けることで、送風機が外観からは目視できない送風装置が実用化され、脚光をあびている。
【０００３】
この送風装置の特徴は、本体ケース内に送風機を設けたことで、送風機が外観からは目視できず、斬新なものとのイメージを与えている。
【０００４】
また、他の特徴としては、送風機により、送風機送風口から本体ケース外に送風を行わせることで、この送風機送風口の周りの空気も巻き込んで送風させる構成とし、その結果として、送風量を多くすることが出来ることである（これに、類似する技術は、たとえば下記特許文献１に記載されている）。
【０００５】
以下、その送風装置について図８および図９を参照しながら説明する。
【０００６】
図８は、送風機組立体１００をその正面から見た投影図を、図９は、送風機組立体１００の断面投影図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００７】
上記構成で、上述した送風機組立体１００は、以下のように動作する。
【０００８】
ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００９】
空気流は、これが口１１２に入る際に絞られ、そして口１１２の出口１４４のところで更に絞られる。この絞りにより、システム中に圧力が生じる。
【００１０】
このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【００１１】
【特許文献１】特開２０１０−７７９６９号公報
【発明の概要】
【発明が解決しようとする課題】
【００１２】
上記従来例の課題は、使い勝手が悪いと言うことである。
【００１３】
例えば、上記従来例では、送風機送風口は本体ケースの前面に固定配置されているので、風向きを変えるためには、本体ケース自身を移動させなければならない。
【００１４】
しかしながら、本体ケースの向きを変えても、送風方向を水平方向において変更することが出来るだけで、送風機送風口を上下、左右に自由に変更することは出来ず、これでは送風方向が限られ、その結果として使い勝手が悪いものとなる。
【００１５】
また、扇風機と言われる送風装置では、本体の上部に設けた送風機部分の向きを、上下左右に変更することが出来る機構を備えたものもあるが、それでも、先ずは、本体の向きを変え、次に、送風機部分の向きを変えなければならず、つまり、複数の操作が必要となり、使い勝手の悪いものとなる。
【００１６】
そこで、本発明は、使い勝手を高めることを目的とするものである。
【課題を解決するための手段】
【００１７】
そして、この目的を達成するために、本発明は、内部に送風機収納空間、および内風送風空間を有する実質的に球形状の本体ケースと、この本体ケースの前記送風機収納空間内に配置した送風機とを備え、前記内風送風空間の一部が接する前記本体ケース部分には、この内風送風空間からの送風を行う内風送風口を設け、この内風送風口の外周には、前記送風機からの送風を行う送風機送風口を設け、この送風機送風口と前記送風機は、前記内風送風空間外面と前記本体ケース内面との間に形成した送風機送風路を介して連結し、前記内風送風空間は、前記送風機送風口の外周部分の本体ケース部分に形成した複数の内風吸気口に、前記送風機送風路とは、非通風状態で、この送風機送風路を貫通した内風路を介して連結し、前記送風機収納空間に接する本体ケース部分には、送風機吸気口を設けるとともに、前記内風送風口から臨む内風送風空間部分に、前記送風機の駆動スイッチを配置し、これにより初期の目的を達成するものである。
【発明の効果】
【００１８】
以上のように本発明は、内部に送風機収納空間、および内風送風空間を有する実質的に球形状の本体ケースと、この本体ケースの前記送風機収納空間内に配置した送風機とを備え、前記内風送風空間の一部が接する前記本体ケース部分には、この内風送風空間からの送風を行う内風送風口を設け、この内風送風口の外周には、前記送風機からの送風を行う送風機送風口を設け、この送風機送風口と前記送風機は、前記内風送風空間外面と前記本体ケース内面との間に形成した送風機送風路を介して連結し、前記内風送風空間は、前記送風機送風口の外周部分の本体ケース部分に形成した複数の内風吸気口に、前記送風機送風路とは、非通風状態で、この送風機送風路を貫通した内風路を介して連結し、前記送風機収納空間に接する本体ケース部分には、送風機吸気口を設けるとともに、前記内風送風口から臨む内風送風空間部分に、前記送風機の駆動スイッチを配置したものであるので、使い勝手の良いものとなる。
【００１９】
すなわち、本発明においては、本体ケースを実質的に球形状としたので、送風機送風口の向きを変更するためには、本体ケースの向きを変更するだけで、簡単に変更することが出来、極めて使い勝手の良いものとなる。
【００２０】
また、本発明においては、送風機送風口の内周に内風送風口を設けているので、送風機送風口の送風時には、この内風送風口からの風も巻き込んで送風することが出来るようになり、その結果として多量の風を送風することが出来るようになる。
【００２１】
さらに、本発明では、前記内風送風口を連結した内風送風空間は、前記送風機送風口の外周部分の本体ケース部分に形成した複数の内風吸気口に、前記送風機送風路とは、非通風状態で、この送風機送風路を貫通した内風路を介して連結しているので、本体ケースがどのように設置されても、いずれかの内風吸気口からは、必ず内風を吸気することが出来、その結果として、上述のごとく、本体ケースをどのように設置したとしても、多量の風を送風することが出来るようになる。
【００２２】
さらにまた、本発明では、前記内風送風口から臨む内風送風空間部分に、前記送風機の駆動スイッチを配置したものであるので、本体ケースをどのように配置しても、駆動スイッチの位置を特定することが出来、つまりスムーズに駆動スイッチを操作することが出来、使い勝手の良いものとなるのである。
【図面の簡単な説明】
【００２３】
【図１】本発明の一実施形態にかかる送風装置の斜視図
【図２】同送風装置の平面図
【図３】同送風装置の図２のＡ−Ａ線の断面図
【図４】同送風装置の図２のＢ−Ｂ線の断面図
【図５】（ａ）同送風装置の設置状態の一例（上向き）を示す斜視図、（ｂ）同送風装置の設置状態の他の一例（横向き）を示す斜視図、（ｃ）同送風装置の設置状態の他の一例（下向き）を示す斜視図
【図６】同送風装置の制御ブロック図
【図７】同送風装置の動作フローチャート
【図８】従来の送風装置の構成を示す正面図
【図９】従来の送風装置の構成を示す断面図
【発明を実施するための形態】
【００２４】
以下、本発明の実施の形態について図面を参照しながら説明する。
【００２５】
（実施の形態１）
図１、図２において、本体ケース１は内部に、図３、図４の送風機収納空間２、および内風送風空間３を有し、実質的に球形状をしている。
【００２６】
つまり、本体ケース１は球形、または楕円球形状、または多角形状で、実質的に球形状となっている。
【００２７】
そして、本体ケース１の内部に、図３のごとく上面が開口した容器状の内胴４を設けることで、この内胴４内が内風送風空間３、内胴４外面と本体ケース１内面間が送風機収納空間２となっている。
【００２８】
また、内風送風空間３内にはモータ５が配置され、このモータ５の駆動軸６は内胴４の底面を貫通し、送風機収納空間２に突出している。
【００２９】
そして、このモータ５の駆動軸６で、送風機収納空間２への突出部分には、送風機の一例としてファン７が装着されている。
【００３０】
つまり、本体ケース１の送風機収納空間２内にはファン７が配置されているのである。
【００３１】
また、内風送風空間３の上部（一部の例）が接する本体ケース１の上面部分には、この内風送風空間３からの送風を行う円形の内風送風口８を設け、この内風送風口８の外周には、ファン７からの送風を行う円環状の送風機送風口９を設けている。
【００３２】
この送風機送風口９とファン７は、内胴４外面と本体ケース１内面間との間に形成した送風機送風路１０を介して連結している。
【００３３】
また、送風機収納空間２に接する本体ケース１の下面部分には、複数の貫通孔からなる送風機吸気口１１を設けている。
【００３４】
つまり、本体ケース１の対向する上下面部分に、送風機送風口９と送風機吸気口１１を設けている。
【００３５】
さらに、送風機送風口９の外周部分、具体的には、本体ケース１の送風機送風口９と送風機吸気口１１間中間部分の本体ケース１部分に円形の内風吸気口１２が複数設けられている。
【００３６】
これら、複数の内風吸気口１２は、送風機送風路１０とは、非通風状態で、この送風機送風路１０を貫通した内風路１３を介して連結されている。
【００３７】
さらにまた、図２に示すように前記内風送風口８から臨む内風送風空間３部分には、ファン７の駆動スイッチ１４と加速度センサ１５と照度センサ１６を配置している。
【００３８】
本実施形態では、駆動スイッチ１４の内部には図３のごとく照明手段１７が配置されているので、駆動スイッチ１４と照明手段１７を兼用させることが出来る。
【００３９】
図６は制御ブロックを示し、制御部１８に駆動スイッチ１４、加速度センサ１５、照度センサ１６、ファン７、照明手段１７が接続された状態となっている。
【００４０】
つまり、駆動スイッチ１４をオンすれば（図７のＳ１）、ファン７が駆動され（図７のＳ２）、その結果、送風機吸気口１１から空気が本体ケース１の送風機送風路１０内に吸引され、次に送風機送風路１０を介して送風機送風口９から吹き出される。
【００４１】
また、この時、送風機送風口９から強い送風がなされると、その内周に存在する内風送風口８からの空気が巻き込まれ、その結果として大量の送風がなされることになる。
【００４２】
つまり、送風機送風口９から強い送風がなされると、内風送風口８部分において負圧が発生し、その結果、内風吸気口１２、内風路１３を介して内風送風空間３に空気が吸引され、その空気が巻き込まれて内風送風口８から送風されるのである。
【００４３】
以上の説明で明らかのように、本実施形態では、本体ケース１を実質的に球形状としたので、送風機送風口９の向きを変更するためには、図５のごとく、本体ケース１の向きを変更するだけで、簡単に変更することが出来、極めて使い勝手の良いものとなる。
【００４４】
なお、図５において、円環状の置台１９は、その円周部分の一部には通気口２０が設けられているので、図５（ａ）のごとく、本体ケース１の送風機吸気口１１が下部に存在していても、通気口２０を介しての吸気が行える。
【００４５】
また、本実施形態においては、送風機送風口９の内周に内風送風口８を設けているので、送風機送風口９の送風時には、この内風送風口８からの風も巻き込んで送風することが出来るようになり、その結果として多量の風を送風することが出来るようになる。
【００４６】
さらに、本実施形態では、内風送風口８を連結した内風送風空間３は、送風機送風口９の外周部分の本体ケース１部分に形成した複数の内風吸気口１２に、送風機送風路１０とは、非通風状態で、この送風機送風路１０を貫通した内風路１３を介して連結しているので、本体ケース１が、図５のごとく、どの向きに設置されても、いずれかの内風吸気口１２からは、必ず内風を吸気することが出来、その結果として、上述のごとく、本体ケース１をどのような向きに設置したとしても、多量の風を送風することが出来るようになる。
【００４７】
さらにまた、本実施形態では、内風送風口８から臨む内風送風空間３部分に、ファン７の駆動スイッチ１４を配置したものであるので、本体ケース１をどのような向きに配置しても、駆動スイッチ１４の位置を特定することが出来、つまりスムーズに駆動スイッチ１４を操作することが出来、使い勝手の良いものとなるのである。
【００４８】
また、本実施形態では、制御部１８に駆動スイッチ１４、加速度センサ１５、照度センサ１６、ファン７、照明手段１７を接続しているので、次のような動作も行わせることが出来る。
【００４９】
例えば、夜に、所定値以上の地震などが発生すると、それを加速度センサ１５が検出すると（図７のＳ３）、ファン７を停止させ（図７のＳ４）、またそのときの環境照度を照度センサ１６が検出（図７のＳ５）すると、照明手段１７がオン状態となる（図７のＳ６）。
【００５０】
この時の照明手段１７からの光は、内風送風空間３から内風送風口８、複数の内風吸気口１２を介して本体ケース１外へと照射され、安全灯としての働きをする。
【００５１】
なお、制御部１８にはタイマー機能が設置され、タイマー時間（例えば１時間）後には、照明手段１７は消灯される（図７のＳ７、Ｓ８）。
【００５２】
勿論、このタイマー時間内に再度、手で揺らせば、再度１時間の照明がなされる。
【産業上の利用可能性】
【００５３】
以上のように本発明は、本体ケースを実質的に球形状としたので、送風機送風口の向きを変更するためには、本体ケースの向きを変更するだけで、簡単に変更することが出来、極めて使い勝手の良いものとなる。
【００５４】
また、本発明においては、送風機送風口の内周に内風送風口を設けているので、送風機送風口の送風時には、この内風送風口からの風も巻き込んで送風することが出来るようになり、その結果として多量の風を送風することが出来るようになる。
【００５５】
さらに、本発明では、前記内風送風口を連結した内風送風空間は、前記送風機送風口の外周部分の本体ケース部分に形成した複数の内風吸気口に、前記送風機送風路とは、非通風状態で、この送風機送風路を貫通した内風路を介して連結しているので、本体ケースがどのように設置されても、いずれかの内風吸気口からは、必ず内風を吸気することが出来、その結果として、上述のごとく、本体ケースをどのように設置したとしても、多量の風を送風することが出来るようになる。
【００５６】
さらにまた、本発明では、前記内風送風口から臨む内風送風空間部分に、前記送風機の駆動スイッチを配置したものであるので、本体ケースをどのように配置しても、駆動スイッチの位置を特定することが出来、つまりスムーズに駆動スイッチを操作することが出来、使い勝手の良いものとなるのである。
【００５７】
したがって、各種の送風装置としての活用が期待される。
【符号の説明】
【００５８】
１  本体ケース
２  送風機収納空間
３  内風送風空間
４  内胴
５  モータ
６  駆動軸
７  ファン（送風機の一例）
８  内風送風口
９  送風機送風口
１０  送風機送風路
１１  送風機吸気口
１２  内風吸気口
１３  内風路
１４  駆動スイッチ
１５  加速度センサ
１６  照度センサ
１７  照明手段
１８  制御部
１９  置台
２０  通気口
【図１】
2014088774.tif 000003
【図２】
2014088774.tif 000004
【図３】
2014088774.tif 000005
【図４】
2014088774.tif 000006
【図５】
2014088774.tif 000007
【図６】
2014088774.tif 000008
【図７】
2014088774.tif 000009
【図８】
2014088774.tif 000010
【図９】
2014088774.tif 000011